(57)【要約】【課題】構成の簡素化を図りつつ操作性を向上する上で有利なカメラ支持装置を提供する。【解決手段】操作レバー２００４を引くことで爪１８０６による支軸１２０６の係合部１２０８に対するロックを解除してパン棒１６を手で持って動かすことによりカメラ２の姿勢を容易かつ自由に変えることができる。操作レバー２００４から指を外すことで爪１８０６が付勢部材１８０４の付勢力により係合部１２０８に係合し支軸１２０６上での軸受部１４０４の回転をロックすることで所望の姿勢に変えたカメラの状態を容易かつ確実に固定することができる。操作レバー２００４を引いて爪１８０６による支軸１２０６に対するロックを解除しても保持手段２２によって軸受部１４０４が保持されているので、ロック解除時にカメラ台１４やカメラ２が支軸１２０６を支点として急に倒れることがない。【選択図】        図１
2004333722.tif 000002
【特許請求の範囲】
【請求項１】
三脚上でカメラの姿勢が変えられるように該カメラを支持するカメラ支持装置であって、
前記三脚の上部に着脱可能に取着される固定ベースと、
前記カメラに着脱可能に取着されるカメラ台と、
前記固定ベースに設けられた支軸と、
前記カメラ台に設けられ前記支軸により回転可能に支持される軸受部と、
前記カメラ台から突設されたパン棒と、
前記支軸上での前記軸受部の回転をロックするロック手段と、
前記ロック手段によるロックを解除するロック解除手段と、
前記カメラ台に設けられ、前記カメラが前記カメラ台に取着されかつ前記ロック手段のロックが解除された状態で、前記カメラおよび前記カメラ台の自重によって前記軸受部が前記支軸上で回転しない程度の力で、かつ、前記パン棒に所定の力が加えられたときに前記軸受部が前記パン棒の動きに追従して前記支軸上を回転する程度の力で該支軸を保持する保持手段と、
を備えることを特徴とするカメラ支持装置。
【請求項２】
前記保持手段は、前記カメラ台から前記支軸の外周面の半周以上にわたって延在しその先部と前記カメラ台との間に隙間が確保された締め付け片部と、前記締め付け片部の先部が臨む前記カメラ台箇所に設けられた雌ねじと、前記締め付け片部の先部を挿通して前記雌ねじに螺合される雄ねじ部材とで構成されていることを特徴とする請求項１記載のカメラ支持装置。
【請求項３】
前記保持手段は、前記カメラ台から前記支軸の外周面の半周以上にわたって延在する締め付け片部と、前記締め付け片部の先部が臨む前記カメラ台箇所に設けられた雌ねじと、前記締め付け片部の先部を挿通して前記雌ねじに螺合される雄ねじ部材とで構成され、前記軸受部は前記締め付け片部で構成されていることを特徴とする請求項１記載のカメラ支持装置。
【請求項４】
前記支軸の外周面の一部には複数の凹凸からなる係合部が設けられ、前記ロック手段は、前記カメラ台に揺動可能に支持されて前記係合部に係合する方向に付勢され前記係合部に係合することで前記軸受部の回転をロックする爪で構成され、前記ロック解除手段は前記パン棒に揺動可能に支持された操作レバーと、前記爪と前記操作レバーとの間を連結し前記操作レバーの揺動操作により前記爪を揺動させるリンクとで構成されていることを特徴とする請求項１記載のカメラ支持装置。
【請求項５】
前記ロック手段は、前記カメラ台に揺動可能に支持されて前記支軸の外周面に圧接する方向に付勢され前記外周面に圧接することで前記軸受部の回転をロックするブレーキレバーで構成され、前記ロック解除手段は前記パン棒に揺動可能に支持された操作レバーと、前記ブレーキレバーと前記操作レバーとの間を連結し前記操作レバーの揺動操作により前記ブレーキレバーを揺動させるリンクとで構成されていることを特徴とする請求項１記載のカメラ支持装置。
【請求項６】
前記パン棒は前記カメラ台に固定され、前記パン棒の上面には、前記カメラの撮影動作を制御するリモートコントロールスイッチが配設されていることを特徴とする請求項１記載のカメラ支持装置。
【請求項７】
前記カメラ台とパン棒は合成樹脂で一体に形成され、前記パン棒の上面には、前記カメラの撮影動作を制御するリモートコントロールスイッチが配設されていることを特徴とする請求項１記載のカメラ支持装置。
【請求項８】
三脚上でカメラの姿勢が変えられるように該カメラを支持するカメラ支持装置であって、
前記三脚の上部に着脱可能に取着される固定ベースと、
前記カメラに着脱可能に取着されるカメラ台と、
前記固定ベースに設けられた支軸と、
前記カメラ台に設けられ前記支軸により回転可能に支持される軸受部と、
前記カメラ台に設けられ、前記支軸の挟持を可能とした挟持手段と、
前記挟持手段に連結され前記挟持手段による前記支軸の挟持力を変化させる駆動手段と、
前記カメラ台から突設されたパン棒と、
前記駆動手段による前記挟持力の変化を制御する制御手段と、
を備えることを特徴とするカメラ支持装置。
【請求項９】
前記駆動手段はモータで構成され、前記制御手段は制御回路と操作部材とで構成され、前記モータは、前記挟持手段に回転駆動力を与えることにより前記挟持力を変化させるように構成され、前記制御回路は、前記モータの回転方向および回転量を制御するように構成され、前記操作部材は、前記制御回路による前記モータの回転方向および回転量を指令するように構成されていることを特徴とする請求項８記載のカメラ支持装置。
【請求項１０】
前記操作部材は前記パン棒に設けられていることを特徴とする請求項９記載のカメラ支持装置。
【請求項１１】
前記駆動手段による前記挟持力の変化は、該挟持力が第１の挟持力と第２の挟持力とに切り換えられる変化であり、前記第１の挟持力は、前記カメラおよび前記カメラ台の自重によって前記軸受部が前記支軸上で回転しない程度で、かつ、前記パン棒に所定の力が加えられたときに前記軸受部が前記パン棒の動きに追従して前記支軸上を回転する程度の大きさの挟持力であり、前記第２の挟持力は、前記支軸上での前記軸受部の回転を不能とする大きさの挟持力であることを特徴とする請求項８記載のカメラ支持装置。
【請求項１２】
前記挟持手段は、前記カメラ台から前記支軸の外周面の半周以上にわたって延在する締め付け片部と、前記締め付け片部の先部が臨む前記カメラ台箇所に設けられた雌ねじと、前記締め付け片部の先部を挿通して前記雌ねじに螺合される雄ねじ部材とで構成され、前記駆動手段はモータで構成され、前記制御手段は制御回路と、操作部材とで構成され、前記モータの出力軸は前記雄ねじ部材に連結され、該モータにより前記雄ねじ部材を回転させることで前記挟持力を変化させるように構成され、前記制御回路は、前記モータの回転方向および回転量を制御するように構成され、前記操作部材は、前記制御回路による前記モータの回転方向および回転量を指令するように構成されていることを特徴とする請求項８記載のカメラ支持装置。
【発明の詳細な説明】
【０００１】
【発明の属する技術分野】
本発明はカメラ支持装置に関する。
【０００２】
【従来の技術】
三脚上でカメラの姿勢が変えられるように該カメラを支持するカメラ支持装置がある（例えば特許文献１）。
このカメラ支持装置は、図７に示すように、三脚４の上部に着脱可能に取着される固定ベース１０２と、カメラ２に雄ねじ１０３を介して着脱可能に取着されるカメラ台１０４と、固定ベース１０２に設けられた支軸１０６と、カメラ台１０４に設けられ支軸１０６により回転可能に支持される軸受部１０８と、カメラ２に対して撮影開始や撮影停止を指令するための操作スイッチ１１１が設けられたパン棒１１０とを有して構成されている。
また、カメラ台１０４には、支軸１０６の外周面に沿って延在しその先部とカメラ台１０４との間に隙間が確保された締め付け片部１０９が設けられている。締め付け片部１０９の先部に設けられたねじ挿通孔にはパン棒１１０の先部が挿通され、該パン棒１１０の先端に形成された雄ねじ１１０Ａがカメラ台１４に設けられた雌ねじに螺合されている。そして、パン棒１１０を回転操作することで雄ねじ１１０Ａを雌ねじに対して弛緩緊締させ、これにより締め付け片部１０９を弾性変形させ、締め付け片部１０９による支軸１０６への締め付け力が調整できるようになっている。
したがって、パン棒１１０によって締め付け力を緩めた状態で軸受部１０８を支軸１０６上で回転させることでカメラ２の姿勢を変化させ、所望の姿勢となった状態でパン棒１１０によって強く締め付けることで軸受部１０８を支軸１０６上でロックしている。
【０００３】
また、固定ベースの上にカメラ台を揺動可能に設けるとともに、カメラ台を固定ベース上にロックする多数の部材からなるロック機構と、そのロックを簡単な操作で解除できるように構成された多数の部材からなるロック解除機構を設けたカメラ支持装置が提供されている（例えば特許文献２）。
【０００４】
【特許文献１】
特開平７−６３２９８号公報
【特許文献２】
特公平５−９６７７号公報
【０００５】
【発明が解決しようとする課題】
しかしながら、前者のカメラ支持装置では、カメラの姿勢を変える毎にパン棒１１０を回転操作する必要があり操作が煩雑である不具合があった。また、パン棒１１０を回転することで操作スイッチ１１１の位置が操作しずらい位置に移動してしまう不具合があった。
また、後者のカメラ支持装置では、簡単な操作でロックを解除できる反面、ロック機構およびロック解除機構が複雑なため、コスト高になる不具合があった。また、ロックが解除された状態ではカメラ台の動きを規制しないため、ロック解除時にカメラおよびカメラ台がそれらの自重により急に倒れてしまう不具合があった。
本発明は前記事情に鑑みなされたものであり、その目的とするところは、構成の簡素化を図りつつ操作性を向上する上で有利なカメラ支持装置を提供することにある。
【０００６】
【課題を解決するための手段】
本発明は、前記目的を達成するため、三脚上でカメラの姿勢が変えられるように該カメラを支持するカメラ支持装置であって、前記三脚の上部に着脱可能に取着される固定ベースと、前記カメラに着脱可能に取着されるカメラ台と、前記固定ベースに設けられた支軸と、前記カメラ台に設けられ前記支軸により回転可能に支持される軸受部と、前記カメラ台から突設されたパン棒と、前記支軸上での前記軸受部の回転をロックするロック手段と、前記ロック手段によるロックを解除するロック解除手段と、前記カメラ台に設けられ、前記カメラが前記カメラ台に取着されかつ前記ロック手段のロックが解除された状態で、前記カメラおよび前記カメラ台の自重によって前記軸受部が前記支軸上で回転しない程度の力で、かつ、前記パン棒に所定の力が加えられたときに前記軸受部が前記パン棒の動きに追従して前記支軸上を回転する程度の力で該支軸を保持する保持手段とを備えることを特徴とする。
そのため、ロック手段のロックを解除してパン棒を手で持って動かすことによりカメラの姿勢を容易かつ自由に変えることができ、また、ロック手段により支軸上での軸受部の回転をロックすることで所望の姿勢に変えたカメラの状態を容易かつ確実に固定することができる。
また、ロック解除手段によってロックを解除しても保持手段によって軸受部が保持されているので、ロック解除時にカメラ台やカメラがそれらの自重により支軸を支点として急に倒れることがない。
【０００７】
また、本発明は、三脚上でカメラの姿勢が変えられるように該カメラを支持するカメラ支持装置であって、前記三脚の上部に着脱可能に取着される固定ベースと、前記カメラに着脱可能に取着されるカメラ台と、前記固定ベースに設けられた支軸と、前記カメラ台に設けられ前記支軸により回転可能に支持される軸受部と、前記カメラ台に設けられ、前記支軸の挟持を可能とした挟持手段と、前記挟持手段に連結され前記挟持手段による前記支軸の挟持力を変化させる駆動手段と、前記カメラ台から突設されたパン棒と、前記駆動手段による前記挟持力の変化を制御する制御手段とを備えることを特徴とする。
そのため、本発明によれば、操作部材を操作して挟持手段による支軸の挟持力を下げた状態としパン棒を手で持って動かすことによりカメラの姿勢を容易かつ自由に変えることができ、また、操作部材を操作することにより挟持手段による支軸の挟持力を上げた状態として支軸上での軸受部の回転を不能とすることで所望の姿勢に変えたカメラの状態を容易かつ確実に固定することができる。
【０００８】
【発明の実施の形態】
以下、本発明によるカメラ支持装置の実施の形態を図面に基づいて詳細に説明する。
図１は第１の実施の形態におけるカメラ支持装置の縦断面図、図２は図１のＡ矢視図である。
カメラ支持装置１０が取着される三脚３０は、図１に示すように、３つの脚体３００２と、これら３つの脚体３００２の上端を揺動可能に連結する脚台３００４とを備えている。
脚台３００４の上面には、カメラ支持装置１０を着脱可能に取着する取着手段が設けられ、この例では取着手段が雄ねじ３００６で形成されている。
図１、図２に示すように、カメラ支持装置１０は、固定ベース１２、カメラ台１４、パン棒１６、ロック手段１８、ロック解除手段２０、保持手段２２などを備えて構成されている。
【０００９】
固定ベース１２は、円盤部１２０２と、円盤部１２０２の上面中央から上方に突出する突出部１２０４を備えている。
円盤部１２０２の下面の中心に雌ねじが形成され、該雌ねじに脚台３００４の雄ねじ３００６が螺合されることによって固定ベース１２は脚台３００４に着脱可能に取着されている。
突出部１２０４の上部には、水平方向に延在する金属製の支軸１２０６が設けられ、支軸１２０６は長手方向の中央部が突出部１２０４に固定され、長手方向の両端が突出部１２０４の両側に露出している。
突出部１２０４から露出する支軸１２０６の部分の外周面には複数の凹凸からなる係合部１２０８が設けられている。
【００１０】
カメラ台１４は、図１に示すように、中空状に形成された本体１４０２と、図２に示すように、本体１４０２の下部に設けられた軸受部１４０４とを備え、軸受部１４０４の下部には突出部１２０４が挿入される凹部１４０５が形成されている。
本体１４０２の上面には、カメラ２を着脱可能に取着するための雄ねじ１４０６が形成され、この雄ねじ１４０６がカメラ２の底面の雌ねじに螺合することでカメラ２がカメラ台１４に取着されている。
軸受部１４０４は、支軸１２０６が回転可能に挿通される軸受孔１４０６を有している。
本実施の形態では、図１に示すように、軸受部１４０４の上部に、軸受部１４０４の外部から軸受孔１４０６に至るスリット１４０７が形成され、軸受部１４０４を構成する壁部が、支軸１２０６の外周面の半周以上にわたって延在し軸受孔１４０６の径方向に弾性変形可能な締め付け片部２２０２として形成され、軸受孔１４０６はこの締め付け片部２２０２の内周面を含んで構成されている。なお、締め付け片部２２０２の先部とカメラ台１４との間にはスリット１４０７による隙間が確保されている。
締め付け片部２２０２の先部にはねじ挿通孔が設けられ、このねじ挿通孔を挿通する雄ねじ部材２２０６が、締め付け片部２２０２の先部に臨む臨むカメラ台１４箇所の雌ねじ２２０４に螺合され、したがって雄ねじ部材２２０６の弛緩緊締により、締め付け片部２２０２が弾性変形し軸受孔１４０６の直径の寸法が変化するように構成されている。
【００１１】
パン棒１６は、本体１４０２から斜め下方に突出するように固定されており、該パン棒１６を把持して操作することで、カメラ台１４は支軸１２０６の周方向、本例では上下方向（チルト方向）に揺動される。なお、本実施の形態では、カメラ台１４とパン棒１６は合成樹脂で型を用いて一体に成形されている。
パン棒１６は、本体１４０２から突出する中空の小径部１６０２と、小径部１６０２に連なる中空の大径部１６０４とを有している。
大径部１６０４の上面には、カメラ２の撮影動作を制御する１つあるいは２以上のリモートコントロールスイッチ１６０６が配設されている。
このリモートコントロールスイッチ１６０６は、例えば、カメラ２がビデオカメラの場合、カメラ２に対して撮影開始および撮影停止を指令するための撮影開始／停止スイッチ、カメラ２の撮影光学系のズーミング動作を指令するためのズーミングスイッチなどである。
リモートコントロールスイッチ１６０６は、パン棒１６から露出する不図示のケーブルを介してカメラ２の制御部に着脱可能に接続され、リモートコントロールスイッチ１６０６によって生成された制御信号がカメラ２の制御部に伝達されるように構成されている。なお、本体１４０２およびパン棒１６に、本体１４０２の上面にねじで取着されたカメラ２の接片とリモートコントロールスイッチ１６０６との間を接続するようにケーブルを設けておき、カメラ２が本体１４０２の上面に取着された状態でリモートコントロールスイッチ１６０６とカメラ２の制御部が接続され、リモートコントロールスイッチ１６０６によって生成された制御信号が前記制御部に伝達されるように構成してもよい。
【００１２】
ロック手段１８は、支軸１２０６上での軸受部１４０４の回転をロックするものであり、本実施の形態では、本体１４０２に軸１８０２を支点として揺動可能に配設された爪１８０６により構成されている。この爪１８０６はコイルスプリングなどによって構成される付勢部材１８０４により常時係合部１２０８に係合する方向に付勢されている。
ロック解除手段２０は、ロック手段１８によるロックを解除するものであり、本実施の形態では、大径部１６０４に軸２００２を支点として揺動可能に配設された操作レバー２００４と、爪１８０６と操作レバー２００４との間を連結し操作レバー２００４の揺動操作により爪１８０６を揺動させるリンク２００６とで構成され、操作レバー２００４の下部は大径部１６０４の下面の下方に突出している。
【００１３】
次にカメラ支持装置１０の使用方法について説明する。
カメラ台１４に対するカメラ２の取着は、ロック手段１８によって軸受部１４０４の支軸１２０６上での回転がロックされている状態で、雄ねじ１４０６をカメラ２の雌ねじに螺合することによって行なわれる。
次に、操作レバー２００４を付勢部材１８０４の付勢力に抗して手前に引くと、リンク２００６によって爪１８０６が係合部１２０８から外れ、ロック手段１８のロックが解除される。
この状態で、雄ねじ部材２２０６を締め付ける方向あるいは緩める方向に回転操作し、締め付け片部２２０２が支軸１２０６に与える締め付け力を調整し、カメラ２およびカメラ台１４の自重によって軸受部１４０４が支軸１２０６上で回転しない程度の力で、かつ、パン棒１６にユーザーの力が加えられたときに軸受部１４０４がパン棒１６の動きに追従して支軸１２０６上を回転する程度の力で支軸１２０６を保持するように設定する。したがって、本実施の形態では、上述の力で支軸１２０６を保持する保持手段２２が、これら締め付け片部２２０２、雌ねじ２２０４、雄ねじ部材２２０６などで構成されている。
【００１４】
カメラ２を所望の姿勢とする操作は次のように行なわれる。
まず、パン棒１６を把持する指で操作レバー２００４を手前に引いてロック手段１８のロックを解除した状態とし、パン棒１６に上下方向の力を加えると、支軸１２０６上を軸受部１４０４が回転し、カメラ台１４およびカメラ２がパン棒１６の動きに追従して上下に揺動され、いわゆるチルト操作が行なわれる。
カメラ２が所望の姿勢となったならば、操作レバー２００４から指を外す。これにより、付勢部材１８０４の付勢力によって爪１８０２が係合部１２０８に係合し、支軸１２０６上での軸受部１４０４の回転が阻止されたロック状態となり、カメラ台１４およびカメラ２の姿勢が固定される。
【００１５】
次にカメラ支持装置１０の効果について説明する。
操作レバー２００４を操作してロック手段１８のロックを解除してパン棒１６を手で持って動かすことによりカメラ２の姿勢を容易かつ自由に変えることができ、また、操作レバー２００４から指を離すだけで、ロック手段１８が働き支軸上での軸受部の回転が阻止されるため、操作レバー２００４により所望の姿勢に変えたカメラ２の状態を容易かつ確実に固定することができる。
したがって、カメラ２の姿勢を変える際の操作性を向上させる上で有利となる。
また、ロック解除手段２０によってロックを解除しても保持手段２２によって軸受部１４０４が保持されているので、操作レバーの操作時に、パン棒１６自体やカメラ２、カメラ台１４を手で保持していなかったとしても、カメラ２およびカメラ台１４の自重によって支軸を支点としてカメラ２が急に倒れることがなく、カメラ２の姿勢を変える際の操作性を向上させる上で有利となる。
また、パン棒１６はカメラ台１４と一体に形成され、パン棒１６はその延在方向を中心として回転しないので、リモートコントロールスイッチ１６０６を常にユーザーから視認しやすい方向に臨ませた状態とすることができ、リモートコントロールスイッチ１６０６を容易かつ確実に操作する上で有利となる。したがって、カメラ２の撮影開始や撮影終了、ズーミングなどの動作は、ロック手段１８によってカメラ２の姿勢を固定した状態でも、あるいは、パン棒１６によってカメラ台１４を上下方向に動かしながらでも、リモートコントロールスイッチ１６０６を操作することで容易かつ確実に行なわれる。
また、ロック手段１８、ロック解除手段２０、保持手段２２はそれぞれ少ない部材で構成されているため、カメラ支持装置１０の簡素化を図る上で有利である。
【００１６】
次に、第２の実施の形態について説明する。
図３は第２の実施の形態におけるカメラ支持装置の縦断面図、図４は図２のＡ矢視図である。
以下の説明では、第１の実施の形態と同様の部材および部分には同一の符号を付してその説明を省略する。
第２の実施の形態では、ロック手段の構成が第１の実施の形態と異なっており、その他の点は第１の実施の形態と同様である。
第２の実施の形態のロック手段１８Ａは、本体１４０２に軸１８０２を支点として揺動可能に支持されたブレーキレバー１８０７により構成されている。
ブレーキレバー１８０７には支軸１２０６の外周面に臨む箇所に摩擦係数の高いブレーキシュー１８０７Ａが設けられており、ブレーキレバー１８０７は、付勢部材１８０４によってブレーキシュー１８０７Ａが常時支軸１２０６の外周面に圧接する方向に付勢されている。
ロック解除手段２０Ａは、大径部１６０４に軸２００２を支点として揺動可能に配設された操作レバー２００４と、ブレーキレバー１８０７と操作レバー２００４との間を連結し操作レバー２００４の揺動操作によりブレーキレバー１８０７を揺動させるリンク２００６とで構成され、操作レバー２００４の下部は大径部１６０４の下面の下方に突出している。
【００１７】
第２の実施の形態では、操作レバー２００４を付勢部材１８０４の付勢力に抗して押圧すると、リンク２００６によってブレーキレバー１８０７が揺動されてブレーキシュー１８０７Ａが支軸１２０６の外周面から離れ、ロック手段１８Ａのロックが解除される。
この状態で、第１の実施の形態の場合と同様に、雄ねじ部材２２０６を回転操作することによって締め付け片部２２０２が支軸１２０６に与える締め付け力を調整し、保持手段２２が支軸１２０６を保持する力を設定する。
また、第２の実施の形態において、カメラ２を所望の姿勢にする場合には、パン棒１６を把持する指で操作レバー２００４を押圧してロック手段１８Ａのロックを解除した状態とし、パン棒１６に上下方向の力を加えると、第１の実施の形態と同様に、支軸１２０６上を軸受部１４０４が回転し、いわゆるチルト操作が行なわれる。
カメラ２が所望の姿勢となったならば、操作レバー２００４から指を外す。これにより、付勢部材１８０４の付勢力によってブレーキシュー１８０７Ａが支軸１２０６の外周部に圧接され、支軸１２０６上での軸受部１４０４の回転が阻止されたロック状態となり、カメラ台１４およびカメラ２の姿勢が固定される。
このような第２の実施の形態のカメラ支持装置１０Ａによっても、第１の実施の形態と同様な効果が奏される。
【００１８】
次に、第３の実施の形態について説明する。
図５は第３の実施の形態におけるカメラ支持装置の縦断面図、図６は図２のＡ矢視図である。
第３の実施の形態では、駆動手段によって支軸の挟持力を変化させるようにした点が第１、第２の実施の形態と異なっており、その他の点は第１、第２の実施の形態と同様である。
図５、図６に示すように、カメラ支持装置１０Ｂは、固定ベース１２、カメラ台１４、パン棒１６、挟持手段２４、駆動手段２６、制御手段２８などを備えて構成されている。
カメラ台１４には、第１の実施の形態と同様に、締め付け片部２２０２、雌ねじ２２０４、雄ねじ部材２２０６が設けられ、これら締め付け片部２２０２、雌ねじ２２０４、雄ねじ部材２２０６によって、支軸１２０６の挟持を可能とした挟持手段２４が構成されている。
【００１９】
さらに、締め付け片部２２０２が雄ねじ部材２２０６に臨む箇所には、取付片１４０８が突設され、該取付片１４０８上に例えばギアドモータから構成されたモータ２６０２が配設され、該モータ２６０２の出力軸が雄ねじ部材２２０６に連結されている。そして、モータ２６０２の回転駆動力により雄ねじ部材２２０６が回転されることによって挟持手段２４による支軸１２０６の挟持力が変化されるように構成されている。
したがって、第３の実施の形態では、モータ２６０２によって、挟持手段２４に連結され挟持手段２４による支軸１２０６の挟持力を変化させる駆動手段２６が構成されている。
パン棒１６の大径部１６０２には、制御回路２８０４および操作スイッチ２８０６（特許請求の範囲の操作部材に相当）が設けられている。
制御回路２８０４は、操作スイッチ２８０６のオン・オフ信号に従ってモータ２６０２を駆動する駆動信号を生成し、該駆動信号をリード線を介してモータ２６０２に供給することによりモータ２６０２の出力軸の回転方向および回転量を制御するように構成されている。
操作スイッチ２８０６は、例えば押ボタンスイッチで構成され、大径部１６０２の上面に配設されており、押圧操作に応じてオン信号、オフ信号を制御回路２８０４に与えるように構成されている。
したがって、第３の実施の形態では、制御回路２８０４と、操作スイッチ２８０６とによって駆動手段２６による挟持力の変化を制御する制御手段２８が構成されている。
【００２０】
第３の実施の形態では、操作スイッチ２８０６がオフ信号を制御回路２８０４に与えると、制御回路２８０４は、挟持手段２４による支軸１２０６の挟持力が第１の挟持力となるように駆動手段２６の制御を行なう。すなわち、支軸１２０６に働く挟持力が第１の挟持力となるように、モータ２８０４の出力軸の回転量および回転方向を制御する駆動信号をモータ２８０４に与える。
前記第１の挟持力は、カメラ２およびカメラ台１４の自重によって軸受部１４０４が支軸１２０６上で回転しない程度で、かつ、パン棒１６に所定の力が加えられたときに軸受部１４０４がパン棒１６の動きに追従して支軸１２０６上を回転する程度の大きさの挟持力である。
また、操作スイッチ２８０６がオン信号を制御回路２８０４に与えると、制御回路２８０４は、挟持手段２４による支軸１２０６の挟持力が第２の挟持力となるように駆動手段２６を制御する。すなわち、支軸１２０６に働く挟持力が第２の挟持力となるように、モータ２８０４の出力軸の回転量および回転方向を制御する駆動信号をモータ２８０４に与える。
前記第２の挟持力は、支軸１２０６上での軸受部１４０４の回転を不能とし、支軸１２０６上にカメラ台１４をロックする大きさの挟持力である。
したがって、駆動手段２６による挟持力の変化は、該挟持力が第１の挟持力と第２の挟持力とに切り換えられる変化である。
【００２１】
第３の実施の形態において、カメラ２を所望の姿勢にする場合には、パン棒１６を把持する指で操作スイッチ２８０６を押圧操作してオフ信号を制御回路２８０４に与えると、モータ２６０２が回転駆動することにより雄ねじ部材２２０６が回転され、締め付け片部２２０２が支軸１２０６に与える挟持力が第１の挟持力に設定される。この状態で、パン棒１６に上下方向の力を加えると、第１の実施の形態と同様に、支軸１２０６上を軸受部１４０４が回転し、いわゆるチルト操作が行なわれる。
カメラ２が所望の姿勢となったならば、操作スイッチ２８０６を押圧操作してオン信号を制御回路２８０４に与えると、モータ２６０２が回転駆動することにより雄ねじ部材２２０６が回転され、締め付け片部２２０２が支軸１２０６に与える挟持力が第２の挟持力に設定される。これにより、支軸１２０６上での軸受部１４０４の回転が阻止されたロック状態となり、カメラ台１４およびカメラ２の姿勢が固定される。
このような第３の実施の形態のカメラ支持装置１０Ｂによっても、第１、第２の実施の形態と同様な効果が奏される。
【００２２】
なお、上述した各実施の形態では、カメラ支持装置が水平方向に延在する支軸１２０６上で軸受部１４０４が上下方向に回転する構成として説明したが、カメラ支持装置を鉛直方向に延在する支軸上で軸受部が水平方向（パン方向）に回転する構成とすることも無論可能である。
また、カメラ２の姿勢を２本の支軸を支点として上下方向および水平方向の２方向に変化させるカメラ支持装置では、各支軸を介してそれぞれ本発明を適用すればよい。
【００２３】
【発明の効果】
以上説明したように本発明によれば、構成の簡素化を図りつつ操作性を向上する上で有利なカメラ支持装置を提供することができる。
【図面の簡単な説明】
【図１】第１の実施の形態におけるカメラ支持装置の縦断面図である。
【図２】図１のＡ矢視図である。
【図３】第２の実施の形態におけるカメラ支持装置の縦断面図である。
【図４】図３のＡ矢視図である。
【図５】第３の実施の形態におけるカメラ支持装置の縦断面図である。
【図６】図５のＡ矢視図である。
【図７】従来のカメラ支持装置の構成図である。
【符号の説明】
１０、１０Ａ、１０Ｂ……カメラ支持装置、２……カメラ、１２……固定ベース、１４……カメラ台、１６……パン棒、１８、１８Ａ……ロック手段、２０、２０Ａ……ロック解除手段、２２……保持手段、２４……挟持手段、２６……駆動手段、２８……制御手段、３０……三脚、１２０６……支軸、１４０４……軸受部。
【図１】
2004333722.tif 000003
【図２】
2004333722.tif 000004
【図３】
2004333722.tif 000005
【図４】
2004333722.tif 000006
【図５】
2004333722.tif 000007
【図６】
2004333722.tif 000008
【図７】
2004333722.tif 000009